【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
装置であって、
ａ）血管内への移植片、
ｂ）瘢痕化抑制剤、および
ｃ）第二の薬理活性剤、
を備え、該瘢痕化抑制剤が、該装置と、該装置が移植される宿主との間での瘢痕化を阻害する、装置。
【請求項２】
前記血管内への移植片が、血管内ステントである、請求項１に記載の装置。
【請求項３】
前記瘢痕化抑制剤が、パクリタキセルである、請求項１に記載の装置。
【請求項４】
前記第二の薬理活性剤が、ジピリダモールである、請求項１に記載の装置。
【請求項５】
前記血管内への移植片が、冠動脈用ステント、末梢血管用ステント、覆いのあるステント、血管内カテーテル、微量注入器用カテーテル、薬物送達バルーン、アブレーション用バルーン、または冠動脈薬物注入ガイドワイヤーである、請求項１、３および４のいずれか１項に記載の装置。
【請求項６】
前記瘢痕化抑制剤が、組織の再生、血管形成、繊維芽細胞の移動、繊維芽細胞の増殖、細胞外基質の蓄積、または組織の再造形が阻害される、請求項１、２、４、および５のいずれか１項に記載の装置。
【請求項７】
前記瘢痕化抑制剤が、微小管阻害剤である、請求項１、２、４、および５のいずれか１項に記載の装置。
【請求項８】
前記瘢痕化抑制剤が、アントラサイクリン、ポドフィロトキシン、免疫調整薬、熱ショックタンパク質９０拮抗薬、ＨＭＧＣｏＡレダクターゼ阻害剤、イノシン一リン酸塩脱水素酵素阻害剤、ＮＦκＢ阻害剤、抗真菌薬、ｐ３８  ＭＡＰキナーゼ阻害剤、または血管形成阻害薬である、請求項１、２、４、および５のいずれか１項に記載の装置。
【請求項９】
前記瘢痕化抑制剤が、ミトキサントロン、ドキソルビシン、エピチロンＢ、エトポシド、ツベルシジン、ビンブラスチン、ゲルダナマイシン、シンバスタチン、シロリムス、エベロリムス、ミコフェノール酸、１−α−２５ジヒドロキシビタミンＤ３、Ｂａｙ  １１−７０８２、ＳＢ２０２１９０、スルコニゾール、ハロフギノン臭化水素酸塩、タクロリムス、エトポシド、バイオリムス、トレスペリムス、オーラノフィン、２７−０−デメチルラパマイシン、グスペリムス、またはこれらの類似体もしくは誘導体である、請求項１、２、４、および５のいずれか１項に記載の装置。
【請求項１０】
前記瘢痕化抑制剤が、ミトキサントロン、ラパマイシン、パクリタキセル、ＧＷ８５１０、ドキソルビシン、ゲルダナマイシン、ブレオマイシン、ハロフギノン、エピルビシン塩酸塩、トポテカン、タモキシフェン、エタニダゾール、ゲムシタビン、ミトラマイシン、ダウノルビシン、クロモマイシンＡ３、ビノレルビン、イダルビシン、ノガラマイシン、１７−ＤＭＡＧ、エポシロン、ビンブラスチン、ビンクリスチン、シタラビン、アニソマイシン、ＣＮＩ−１４９３、アニソマイシン、１７−ＡＡＧ、クロルプロマジン、ポドフィロトキシン、セラストロール、ＬＹ２９０１８１、ツベルシジン、エピチロン、オキサリプラチン、クロモマイシンＡ３、１−α−２５ジヒドロキシビタミンＤ３、ミコフェノール酸、モフェチル、ＳＫＦ  ８６００２、１５−デオキシプロスタグランジン、シンバスタチン、ゲムフィブロジル、シプロフィブラート、ベザフィブラート、ファスカプリシン、ピューロマイシン、Ｌ（−）−ペリリルアルコール、アナシタビン、ヘキシレン・グリコール、重水、グリシンエチルエステル、ＡＩＦ３、エチレングリコールビス−（サクシニミジルコハク酸塩）、ＩＤＮ−６５５６、レスベラトロール、ＳＰ６００１２５、Ｄ−マンノース−６−リン酸塩、Ｂａｙ５８−２６６７、ＢＸＴ−５１０７２、ＣＹＣ２０２、ツベルシジン、シタラビン、エトポシド、クラドリビン、ロバスタチン、サイトカラシンＡ、イダルビシン、ノガラマイシン、またはイトラコナゾールである、請求項１、２、４、および５のいずれか１項に記載の装置。
【請求項１１】
前記瘢痕化抑制剤が、ビンカアルカロイド、プリン類似体、ジヒドロ葉酸の還元を阻害する薬剤、ＲＮＡ合成阻害剤、ＤＮＡ合成阻害剤、ケモカイン受容体拮抗薬、サイクリン依存性タンパク質キナーゼ阻害剤、上皮細胞増殖因子キナーゼ阻害剤、ファルネシルトランスフェラーゼ阻害剤、ヒドロキシメチルグルタリル補酵素Ａレダクターゼ（ＨＭＧＣｏＡレダクターゼ）阻害剤、ＩκＢキナーゼ２（ＩＫＫ２）阻害剤、ＩＬ−１拮抗薬、インターロイキン−１β変換酵素（ＩＣＥ）拮抗薬、ＩＬ−１Ｒ関連キナーゼ（ＩＲＡＫ）拮抗薬、ピメクロリムス、ＡＢＴ−５７８、ＮＦκＢ阻害剤、ホスホジエステラーゼ阻害剤、腫瘍壊死因子α（ＴＮＦα）拮抗薬、ＴＮＦα変換酵素（ＴＡＣＥ）阻害剤、繊維芽細胞増殖因子阻害剤、タンパク質キナーゼ阻害剤、血小板由来増殖因子（ＰＤＧＦ）受容体キナーゼ阻害剤、スルコニゾール、マクロライド系抗生物質、ＧＰＩＩｂ／ＩＩＩａ受容体拮抗薬、ペルオキシソーム増殖剤応答性受容体の作動薬、破骨細胞阻害剤、ビスフォスフォネート、またはコラーゲン拮抗薬である、請求項１、２、４、および５のいずれか１項に記載の装置。
【請求項１２】
前記第二の薬理活性剤が、抗血栓薬、抗血小板薬、または血栓溶解剤である、請求項１〜３、および５〜１１のいずれか１項に記載の装置。
【請求項１３】
前記抗血栓薬、抗血小板薬、または血栓溶解剤が、アスピリン、チロフィバン、ヘパリン、ヘパリンの断片、ヘパリンの有機塩、ヘパリン錯体、ベンザルコニウムヘパリナート、ヘパリン酸トリドデシルアンモニウム、デキストラン、硫酸化炭水化物、デキストラン硫酸塩、クマジン、クマリン、ヘパリノイド、ダナパロイド、アルガトロバン硫酸キトサン、コンドロイチン硫酸、ダナパロイド、レピルジン、ヒルジン、ＡＭＰ、アデノシン、２−クロロアデノシン、アセチルサリチル酸、フェニルブタゾン、インドメタシン、メクロフェンアマート、ヒドロクロロキン、ジピリダモール、イロプロスト、ストレプトキナーゼ、第Ｘａ因子阻害剤、ＤＸ９０６５ａ、マグネシウム、組織プラスミノーゲン活性化因子、プラスミノゲン、ｌｙｓ−プラスミノゲン、α−２−抗プラスミン、ウロキナーゼ、アミノカプロン酸、チクロピジン、クロピドグレル、トラピジル（トリアゾロピリミジン）、ナフチドロフリル、アウリリトリカルボン酸およびグリコプロテイン  ＩＩｂ／ＩＩＩａ阻害剤、アブシキサマブ、エプチフィバチド、チロギバン、グリコサミノグリカン、ダナパロイド、４−ヒドロキシコウルマリン、ワルファリンナトリウム、ジクマロール、フェンプロクモン、インダン−１，３−ジオン、アセノクマロール、アニシンジオン、殺鼠薬（ブロマジオロン、ブロジファコウム、ジフェナジオン、クロロファシノン、およびピドノンから選択される、請求項１２に記載の装置。
【請求項１４】
前記第二の薬理活性剤が、抗感染薬または抗炎症薬である、請求項１〜３および５〜１１のいずれか１項に記載の装置。
【請求項１５】
前記抗感染薬が、アントラサイクリン、ドキソルビシン、ミトキサントロン、フルオロピリミジン、５−フルオロウラシル（５−ＦＵ）、葉酸拮抗薬、メトトレキサート、ポドフィロトキシン、エトポシド、カンプトテシン、ヒドロキシウレア、白金錯体、またはシスプラチンである、請求項１４に記載の装置。
【請求項１６】
前記装置が、該装置の近接組織に前記瘢痕化抑制剤および前記第二の薬理活性剤を局所的に伝達する、請求項１〜１５のいずれか１項に記載の装置。
【請求項１７】
被覆をさらに備え、該被覆は、前記瘢痕化抑制剤および／または前記第二の薬理活性剤を含有する、請求項１〜１５のいずれか１項に記載の装置。
【請求項１８】
前記瘢痕化抑制剤または前記第二の薬理活性剤が、前記装置の孔、穴、経路、内腔、貯蔵場所または窪み内に位置する、請求項１〜１５のいずれか１項に記載の装置。
【請求項１９】
前記装置が、ポリマーまたは高分子担体を備える、請求項１〜１５のいずれか１項に記載の装置。
【請求項２０】
前記ポリマーまたは高分子担体が、生分解性ポリマーである、請求項１９に記載の装置。
【請求項２１】
前記ポリマーまたは高分子担体が、非生分解性ポリマーである、請求項１９に記載の装置。
【請求項２２】
潤滑コーティングをさらに備える、請求項１〜１５のいずれか１項に記載の装置。
【請求項２３】
可視化剤をさらに備え、該可視化剤が、Ｘ線不透性物質、ＭＲＩ反応性物質、染料、顔料、着色剤、およびエコー源性の物質から選択される、請求項１〜１５のいずれか１項に記載の装置。